(57)【要約】【課題】  蛍光灯用ソケットに装着可能で、簡易な構成で、照明装置を固定することができるＬＥＤ照明装置を提供する。【解決手段】  本発明のＬＥＤ式蛍光灯型照明装置は、矩形状の基板と、この基板の長手方向に沿って配列されたＬＥＤ素子と、前記基板を固定する平板状の載置部と、前記基板が前記平板状の載置部に接触していない部分を覆う略半円柱状またはかまぼこ形状のカバーと、前記載置部の基板が固定されている面と逆の面に設けられた１個以上の照明装置固定部と、前記平板状の載置部とカバーの両端に設けられた口金とを備える。【選択図】図１
2011216447.tif 000002
【特許請求の範囲】
【請求項１】
矩形状の基板と、
この基板の長手方向に沿って配列されたＬＥＤ素子と、
前記基板を固定する平板状の載置部と、
前記基板が前記平板状の載置部に接触していない部分を覆う略半円柱状またはかまぼこ形状のカバーと、
前記載置部の基板が固定されている面と逆の面に設けられた１個以上の照明装置固定部と、
前記平板状の載置部とカバーの両端に設けられた口金とを備える、ＬＥＤ式蛍光灯型照明装置。
【請求項２】
前記照明装置固定部の固定手段が磁石である、請求項１に記載のＬＥＤ式蛍光灯型照明装置。
【請求項３】
前記照明装置固定部は、スライド移動、高さ調整、または個数調整の少なくとも１つが可能である、請求項１または２に記載のＬＥＤ式蛍光灯型照明装置。
【請求項４】
前記カバーがレンズカバーである、請求項１〜３のいずれかに記載のＬＥＤ式蛍光灯型照明装置。
【発明の詳細な説明】
【技術分野】
【０００１】
本発明は、既存の蛍光灯照明装置に用いることができるＬＥＤ式蛍光灯型照明装置に関する。
【背景技術】
【０００２】
従来の蛍光灯型照明装置では、ガラス管の両端部分よりガラス管内部に封入されたアルゴンガスと水銀蒸気の混合気体中に高圧放電させて、ガス気体から紫外線を発生させる。この紫外線がガラス管内面に塗布された蛍光体に照射され、蛍光体が白色に発光する。蛍光灯型照明装置は、電力を光に変換する効率（１ｍ／Ｗ）も、ハロゲン球や白熱球が３０％前後なのに対し、５０〜６０％と高い。また、棒状の白色光源として自然な白色光度が均一に出せるので、幅広く利用されている。
【０００３】
しかし、従来の蛍光灯型照明装置には、寿命末期によるちらつきや不点灯という問題がある。また、その寿命は７０００〜１万時間と短い。
【０００４】
ＬＥＤは、直流電流で、それも低い電圧で容易に点灯制御ができる。また、球切れなどの不点灯になりにくく、長期信頼性に優れている。このため、寿命の長いＬＥＤを蛍光灯型照明装置に使用することが試みられている。特に、既設の電球用ソケットや蛍光灯用ソケットに装着可能なＬＥＤ照明装置に関する技術が開発されている（例えば、特許文献１参照）。
【先行技術文献】
【特許文献】
【０００５】
【特許文献１】特開２００１−５２５０４号公報
【発明の概要】
【発明が解決しようとする課題】
【０００６】
しかし、従来の蛍光灯型照明装置は、ガラス管両端部とソケットとがジョイントしているだけなので、照明装置が外れやすいという問題がある。特に、蛍光灯用ソケットに装着可能なＬＥＤ照明装置に関して顕著である。
一方、ＬＥＤ照明装置は、ガラス管内に塗布された蛍光体を発光させるのではない。このため、蛍光灯用ソケットに装着可能なＬＥＤ照明装置を従来の蛍光灯型照明装置と同じ形態でなくてもよい。
【課題を解決するための手段】
【０００７】
そこで、本発明者らは、ＬＥＤ照明装置の形状を検討し、蛍光灯用ソケットに装着可能で、簡易な構成で、照明装置を固定することができるＬＥＤ照明装置を開発した。すなわち、本発明は、以下のとおりである。
【０００８】
本発明のＬＥＤ式蛍光灯型照明装置は、矩形状の基板と、この基板の長手方向に沿って配列されたＬＥＤ素子と、前記基板を固定する平板状の載置部と、前記基板が前記平板状の載置部に接触していない部分を覆う略半円柱状またはかまぼこ形状のカバーと、前記載置部の基板が固定されている面と逆の面に設けられた１個以上の照明装置固定部と、前記平板状の載置部とカバーの両端に設けられた口金とを備える。
【０００９】
本発明のＬＥＤ式蛍光灯型照明装置は、全体として、略半円柱状またはかまぼこ形状をしている。照明装置は平坦面を有する。この平坦面に１個以上の照明装置固定部を設けることで、任意の位置で、ＬＥＤ式蛍光灯型照明装置を固定することができる。
【００１０】
前記照明装置固定部の固定手段が磁石であるとよい。また、前記照明装置固定部は、スライド移動、高さ調整、または個数調整の少なくとも１つが可能であると好ましい。また、前記カバーがレンズカバーであるとよい。
【発明の効果】
【００１１】
本発明のＬＥＤ式蛍光灯型照明装置は、管状形状の一部に平坦面を有する。このため、平坦面に１個以上の照明装置固定部を設けることができる。この結果、管状構造の両端以外の任意の位置で、ＬＥＤ式蛍光灯型照明装置を固定することができる。
【図面の簡単な説明】
【００１２】
【図１】図１は、本発明のＬＥＤ式蛍光灯型照明装置の一実施例の概略を示した説明図である。
【図２】図２は、図１  ａ）のＡ−Ａ断面の断面図である。
【発明を実施するための形態】
【００１３】
以下、本発明のＬＥＤ式蛍光灯型照明装置の一実施例について、図面を参照しながら説明する。
図１、２は、本発明のＬＥＤ式蛍光灯型照明装置の一実施例の概略を示した説明図である。図１、２において、１はカバー、２は口金、３は載置部、４は照明装置固定部、５はＬＥＤ素子、６は基板を示す。図１  ａ）は本発明のＬＥＤ式蛍光灯型照明装置の正面図、図１  ｂ）は本発明のＬＥＤ式蛍光灯型照明装置の背面図、図１  ｃ）は本発明のＬＥＤ式蛍光灯型照明装置の側面図を示す。
【００１４】
本発明のＬＥＤ式蛍光灯型照明装置は、既存の蛍光灯照明装置の長さ、径などの寸法と互換性を有する。この結果、蛍光灯管の差込口にそのまま設置が可能である。２に示す口金に設けられた端子の大きさ、配列などは既存蛍光灯管と同じである。口金２は、ＬＥＤ式蛍光灯型照明装置の固定手段として機能する。
【００１５】
ＬＥＤ素子５は、矩形上の基板６の長手方向に複数個配列されている。交流電流を用いる場合は、両端の口金２に設けられた端子、基板、基板上に配列されたＬＥＤ素子は電気的に接続されている。この場合には、使用する端子を選択することにより行う。直流電流を用いる場合は、両端の口金２に設けられた端子を用いずに、直接基板、基板上に配列されたＬＥＤ素子を直流電源装置（図示せず。）に接続する。直流電源装置は、ＬＥＤ式蛍光灯型照明装置の外部・内部のいずれに設けておいてもよい。
【００１６】
矩形上の基板６は、平板状の載置部３に固定されている。固定方法は、特に制限されず、嵌合、ボルト等による結合など公知の方法による。平板状の載置部３は、照明装置全体の重量を軽減するために、ポリカーボネートなどの樹脂を用いればよい。
【００１７】
本発明のＬＥＤ式蛍光灯型照明装置の外側は、平板状の載置部３と前記基板６が前記平板状の載置部３に接触していない部分を覆う略半円柱状またはかまぼこ形状のカバー１とで構成される。載置部３を平板状にするのは、照明装置固定部４を設けることを容易にするためである。載置部３は、照明装置固定部４を強固に取付けるため、アルミニウムなどの金属で作製すると好ましい。本明細書中で、平板状と言う場合は、完全な平板でなくてもよいという意味である。例えば、平面にレール等を設けていてもよい。また、カバー１を略半円柱状またはかまぼこ形状にするのは、光の拡散を均一にし、既存の既存蛍光灯管と外観を同様にするためである。このため、カバー１は、半透明または白色等に着色したものを用いるとよい。また、照明装置全体の重量を軽減するために、ポリカーボネートなどの樹脂を用いればよい。カバー１は、既存の既存蛍光灯管のように表面が平滑であってもよく、カバーの長手方法に蛇腹状であってもよい。また、カバー１がレンズカバーであるとよい。レンズカバーを用いると、光の拡散効率が向上するので、好ましい。レンズカバーは、例えば、平板の一方の面に、照明装置の長手方向に沿って、例えば柱状（略半円柱状、かまぼこ形状、多角柱状（例えば、三角柱状など））などの複数の凸状の突起が設けられている樹脂シート、または、平板の一方の面に、略半球状、多角錘状（例えば、三角錘状など）など複数の凸状の突起が規則的あるいは不規則的に設けられている樹脂シートである。このシートを、凸状の突起が設けられている側を内側に折り曲げて、略半円柱状またはかまぼこ形状にして、カバー１として用いる。
【００１８】
平板状の載置部３とカバー１とは、嵌合あるいは、ボルト等で結合する。また、前記平板状の載置部とカバーの両端に設けられた口金２と共に、照明装置の内部に水蒸気などが入りにくいように密接して構成する。
【００１９】
本発明では、前記載置部３の基板６が固定されている面と逆の面に設けられた１個以上の照明装置固定部４を有することを最大の特徴とする。照明装置固定部４は、特に制限されず、フックなどのように掛合するものや、磁石のような公知の固定手段による。好ましくは、磁石を用いる固定手段である。通常蛍光灯型照明装置は、金属製の取付け本体に設けられたソケットに取付ける。したがって、磁石を用いると、金属製の取付け本体に特別な固定器具を設けなくても容易に固定をすることができる。また、特に永久磁石を用いると好ましい。
【００２０】
また、照明装置固定部４は、スライド移動、高さ調整、または個数調整の少なくとも１つが可能であると好ましい。この構成によると、既に設置されている取付け本体の形状が異なっていても、容易に適合することができるからである。スライド移動、高さ調整、または個数調整の少なくとも１つが可能にさせる方法は、特に制限はない。例えば、図１、図２に示すように、平板状の載置部３にレールとなる溝部を設け、このレールに咬合するアタッチメントを付けた磁石を用いる。ネジを緩めた状態で、レール内をアタッチメントをスライド移動させ、ネジを締めることで、照明装置固定部４の位置を移動させることができる。また、アタッチメントの軸の長さを、ネジを回転させて変えることで、高さ調整を行う。あるいは、アタッチメントは、交換可能であるので、固定に適した軸の長さ（高さ）を有するアタッチメントを用いることで、高さ調整を行う。また、アタッチメントの数を任意に調整して、個数調整を行う。あるいは、アタッチメントの軸に対して、所望の角度を有する位置に磁石を設けたものを用いれば、角度調整をすることもできる。
【産業上の利用可能性】
【００２１】
本発明のＬＥＤ式蛍光灯型照明装置は、既存の蛍光灯照明装置に用いることができ、しかも安定に固定することができる。
【符号の説明】
【００２２】
１    カバー
２    口金
３    載置部
４    照明装置固定部
５    ＬＥＤ素子
６    基板
【図１】
2011216447.tif 000003
【図２】
2011216447.tif 000004